(57)【要約】【課題】  複数種の入力情報を処理する情報処理装置において、ユーザが戸惑うことなく、消去メニューのなかから所望の選択肢を選択することができる情報処理装置等を提供することをその課題とする。【解決手段】  複数種の処理を行うための複数種の情報を入力可能な入力手段と、入力した１種以上の情報である入力情報を表示する入力情報表示手段と、複数種の消去選択肢から成る消去メニューを記憶する消去メニュー記憶手段と、複数種の消去選択肢のうち、入力手段により入力された情報に対応した消去選択肢のみを消去メニューとして表示する消去メニュー表示手段と、を備えたものである。【選択図】  図６
2006289730.tif 000002
【特許請求の範囲】
【請求項１】
複数種の処理を行うための複数種の情報を入力可能な入力手段と、
入力した１種以上の情報である入力情報を表示する入力情報表示手段と、
複数種の消去選択肢から成る消去メニューを記憶する消去メニュー記憶手段と、
前記複数種の消去選択肢のうち、前記入力手段により入力された情報に対応した消去選択肢のみを前記消去メニューとして表示する消去メニュー表示手段と、を備えたことを特徴とする情報処理装置。
【請求項２】
前記入力情報表示手段は、前記入力情報の編集位置を示すカーソルをさらに表示し、
前記消去メニュー表示手段は、前記カーソルの位置に基づいて、表示する前記消去選択肢を決定し、前記消去メニューを表示することを特徴とする請求項１に記載の情報処理装置。
【請求項３】
前記複数種の情報には、墨字印刷を行うための墨字情報および点字打刻を行うための点字情報が含まれ、
前記消去メニュー表示手段は、前記入力情報における前記点字情報の有無に基づいて、表示する前記消去選択肢を決定し、前記消去メニューを表示することを特徴とする請求項１に記載の情報処理装置。
【請求項４】
前記消去メニューには、前記入力情報を一括消去する全文消去、前記墨字情報を段落単位で消去する段落消去、および前記点字情報を一括消去する点字消去、の消去選択肢が含まれており、
前記入力情報として、前記墨字情報のみを入力した場合、前記消去メニュー表示手段は、前記消去選択肢として全文消去、段落消去を表示し、
前記入力情報として、前記点字情報のみを入力した場合、前記消去メニュー表示手段は、前記消去選択肢として全文消去、点字消去を表示し、
前記入力情報として、前記墨字情報および前記点字情報を入力した場合、前記消去メニュー表示手段は、前記消去選択肢として全文消去、段落消去、点字消去を表示することを特徴とする請求項３に記載の情報処理装置。
【請求項５】
前記入力情報表示手段は、前記入力情報の編集位置を示すカーソルをさらに表示し、
前記入力情報として、前記墨字情報および前記点字情報を入力した場合であって、
前記カーソルが前記墨字情報に位置する場合、
前記消去メニュー表示手段は、前記消去選択肢として全文消去、段落消去、点字消去を表示し、
前記カーソルが前記点字情報に位置する場合、
前記消去メニュー表示手段は、前記消去選択肢として全文消去および点字消去を表示することを特徴とする請求項３または４に記載の情報処理装置。
【請求項６】
請求項３ないし５のいずれかに記載の情報処理装置と、
前記墨字情報に基づいて、処理シートに墨字を印刷する墨字印刷手段と、
前記点字情報に基づいて、前記処理シートに点字を打刻する点字打刻手段と、を備えたことを特徴とする印刷・打刻複合装置。
【請求項７】
複数種の処理を行うための複数種の情報を入力可能な情報処理装置の消去メニュー表示方法であって、
消去メニューとして記憶している複数種の消去選択肢のうち、入力された１種以上の情報に対応した消去選択肢のみを、前記消去メニューとして表示することを特徴とする情報処理装置の消去メニュー表示方法。
【請求項８】
請求項１ないし５のいずれかに記載の情報処理装置における各手段としてコンピュータを機能させるためのプログラム。
【発明の詳細な説明】
【技術分野】
【０００１】
本発明は、複数種の入力情報を処理する情報処理装置、印刷・打刻複合装置、情報処理装置の消去メニュー表示方法、プログラムに関するものである。
【背景技術】
【０００２】
従来、テープに任意の情報を墨字印刷してラベルを作成するラベル作成装置が知られている（例えば、特許文献１参照）。一方で、墨字印刷処理と点字打刻処理とを並行して行い、視覚障害者と晴眼者との両者が認識可能な点字ラベルを作成する点字ラベル作成装置が知られている（例えば、特許文献２参照）。さらにこの種の点字ラベル作成装置では、点字打刻をせず墨字印刷のみを行い通常のラベルを作成したり、墨字印刷をせず点字打刻のみを行い点字ラベルを作成したりすることも可能である。
【特許文献１】特開平１０−００８１８号公報
【特許文献２】特開２００１−８８３５８号公報
【０００３】
前者のラベル作成装置において、ユーザの操作性を向上させるために、入力した情報をユーザの所望に応じて様々なパターンで消去できる機能が設けられている。例えば、入力した情報全てを一括消去するか、任意の段落のみを消去するかといった複数の選択肢から成る消去メニューを表示しユーザが所望の選択肢を選択するといった機能である。従って、後者の点字ラベル作成装置においても、このような機能を設けることが容易に想定できる。
【発明の開示】
【発明が解決しようとする課題】
【０００４】
ところで、後者の点字ラベル作成装置は、装置の特性上、墨字印刷用の情報と点字打刻用の情報との複数種の情報が入力される。すなわち、消去メニューは例えば「全ての情報を消去」「墨字印刷用の情報を消去」「点字打刻用の情報を消去」といった選択肢で構成され、この中からユーザが所望の選択肢を選択することになる。この場合、装置制御として、入力されていない情報を消去対象とするメニューは選択不可能とするのが当然であるが、ユーザ、特に前者のようなラベル作成装置における入力操作に不慣れなユーザは、なぜ一部の消去メニューが選択できないのか戸惑う虞がある。
【０００５】
上記の問題に鑑み、本発明は、複数種の入力情報を処理する情報処理装置において、ユーザが戸惑うことなく、消去メニューのなかから所望の選択肢を選択することができる情報処理装置、印刷・打刻複合装置、情報処理装置の消去メニュー表示方法、プログラムを提供することをその課題とする。
【課題を解決するための手段】
【０００６】
本発明の情報処理装置は、複数種の処理を行うための複数種の情報を入力可能な入力手段と、入力した１種以上の情報である入力情報を表示する入力情報表示手段と、複数種の消去選択肢から成る消去メニューを記憶する消去メニュー記憶手段と、複数種の消去選択肢のうち、入力手段により入力された情報に対応した消去選択肢のみを前記消去メニューとして表示する消去メニュー表示手段と、を備えたことを特徴とする。
【０００７】
同様に、本発明の情報処理装置の消去メニュー表示方法は、複数種の処理を行うための複数種の情報を入力可能な情報処理装置の消去メニュー表示方法であって、消去メニューとして記憶している複数種の消去選択肢のうち、入力手段により入力された情報に対応した消去選択肢のみを、消去メニューとして表示することを特徴とする。
【０００８】
これらの構成によれば、消去メニュー表示手段が、入力された１種以上の情報を消去するための消去選択肢のみを消去メニューとして表示することによって、ユーザは、表示された消去選択肢全ての中から何れか１を選択することができる。すなわち、選択不可能な消去選択肢が表示されないので、操作に不慣れなユーザであっても、戸惑うことなく所望の消去選択肢を選択することができる。
【０００９】
この場合、入力情報表示手段は、入力情報の編集位置を示すカーソルをさらに表示し、消去メニュー表示手段は、カーソルの位置に基づいて、表示する消去選択肢を決定し、消去メニューを表示することが好ましい。
【００１０】
この構成によれば、現在編集対象となっている入力情報を消去するための消去選択肢を中心として消去メニューが表示されることになる。すなわち、ユーザが必要とする消去選択肢のみを抽出し、消去メニューとして表示するので、よりユーザの操作性を向上させることができる。
【００１１】
また、この場合、複数種の情報には、墨字印刷を行うための墨字情報および点字打刻を行うための点字情報が含まれ、消去メニュー表示手段は、入力情報における点字情報の有無に基づいて、表示する前記消去選択肢を決定し、消去メニューを表示することが好ましい。
【００１２】
この構成によれば、消去メニュー表示手段が、点字情報の有無に基づいて消去選択肢を決定し、消去メニューとして表示するので、点字情報の入力がない場合には、点字情報を消去するための消去選択肢を表示しない等の制御を行うことができる。従って、ユーザは表示された消去選択肢全ての中から何れか１を選択することができる。すなわち、選択不可能な消去選択肢が表示されないので、操作に不慣れなユーザであっても、戸惑うことなく所望の消去選択肢を選択することができる。
【００１３】
また、この場合、消去メニューには、入力情報を一括消去する全文消去、墨字情報を段落単位で消去する段落消去、および点字情報を一括消去する点字消去、の消去選択肢が含まれており、入力情報として、墨字情報のみを入力した場合、消去メニュー表示手段は、消去選択肢として全文消去、段落消去を表示し、入力情報として、点字情報のみを入力した場合、消去メニュー表示手段は、消去選択肢として全文消去、点字消去を表示し、入力情報として、墨字情報および点字情報を入力した場合、消去メニュー表示手段は、消去選択肢として全文消去、段落消去、点字消去を表示することが好ましい。
【００１４】
この構成によれば、消去メニュー表示手段が、墨字情報および点字情報のうち、入力された情報を消去するための消去選択肢のみを消去メニューとして表示することによって、ユーザは、表示された消去選択肢全ての中から何れか１を選択することができる。すなわち、選択不可能な消去選択肢が表示されないので、操作に不慣れなユーザであっても、戸惑うことなく所望の消去選択肢を選択することができる。また、墨字情報および点字情報の両方が入力されている場合には「全文消去」「段落消去」「点字消去」の全ての消去選択肢が表示されることにより、ユーザは確実に所望の選択肢を選択することができる。
【００１５】
また、これらの場合、入力情報表示手段は、入力情報の編集位置を示すカーソルをさらに表示し、入力情報として、墨字情報および点字情報を入力した場合であって、カーソルが墨字情報に位置する場合、消去メニュー表示手段は、消去選択肢として全文消去、段落消去、点字消去を表示し、カーソルが点字情報に位置する場合、消去メニュー表示手段は、消去選択肢として全文消去および点字消去を表示することが好ましい。
【００１６】
この構成によれば、入力情報として墨字情報および点字情報が入力された際にはさらにカーソルの位置を参照し、カーソルが墨字情報に位置する場合、墨字情報を消去するための消去選択肢を中心として消去メニューを表示し、カーソルが点字情報に位置する場合、点字情報を消去するための消去選択肢を中心として消去メニューを表示することができる。すなわち、ユーザが必要とする消去選択肢のみを抽出して消去メニューとして表示するので、表示される消去選択肢が少なくなり、よりユーザの操作性を向上させることができる。
【００１７】
本発明の印刷・打刻複合装置は、上記のいずれかに記載の情報処理装置と、墨字情報に基づいて、処理シートに墨字を印刷する墨字印刷手段と、点字情報に基づいて、処理シートに点字を打刻する点字打刻手段と、を備えたことを特徴とする。
【００１８】
この構成によれば、上記のいずれかに記載の情報処理装置によって入力された墨字情報および点字情報に基づいて、処理シートに墨字印刷および点字打刻を行うことが可能となる。
【００１９】
本発明のプログラムは、上記のいずれかに記載の情報処理装置における各手段としてコンピュータを機能させることを特徴とする。
【００２０】
この構成によれば、複数種の入力情報を処理する情報処理装置において、ユーザが戸惑うことなく、消去メニューのなかから所望の選択肢を選択するためのプログラムを提供することができる。
【発明を実施するための最良の形態】
【００２１】
以下、添付の図面に基づいて、本発明の一実施形態に係る情報処理装置等をラベル作成装置に適用した場合について説明する。このラベル作成装置は、墨字印刷部と点字打刻部とを有し、墨字印刷部において、処理テープに墨字印刷を行い、その印刷済み部分をカットしてテープ片を得た後、これを点字打刻部に手差しで挿入し、点字打刻部において、テープ片に点字打刻を行うものである。
【００２２】
図１は、ラベル作成装置の閉蓋状態の外観斜視図であり、図２は、その開蓋状態の外観斜視図である。両図に示すように、ラベル作成装置１は、処理テープＴ（図２参照）に対して墨字印刷を行うと共に、処理テープＴから得られたテープ片Ｔａ（図２参照）に対し点字打刻を行う装置本体２と、処理テープＴおよびインクリボンＲを収容し、装置本体２に着脱自在に装着されるテープカートリッジＣとを備えている。
【００２３】
装置本体２は、装置ケース３により外殻が形成され、その内部に広く墨字印刷部６２が構成され、装置ケース３の後半部右部に点字打刻部６４が構成されている。装置ケース３の前半部上面には、各種キー４を備えたキーボード５が配設されている。装置ケース３の後半部上面には、開閉蓋７が広く設けられ、開閉蓋７の前側にはこれを開放する蓋体開放ボタン８が設けられている。開閉蓋７の表側にはキーボード５からの入力結果等を表示する長方形のディスプレイ９が形成されている。
【００２４】
蓋体開放ボタン８を押して開閉蓋７を開放すると、その内部には、テープカートリッジＣが装着されるカートリッジ装着部６が窪入形成されており、カートリッジ装着部６には、テープカートリッジＣから繰り出される処理テープＴに墨字印刷を行う印刷ヘッド２１が配設されている（図２参照）。
【００２５】
装置ケース３の左側部には、カートリッジ装着部６と装置外部とを連通する印刷テープ排出口１８が形成され、この印刷テープ排出口１８に臨んで装置ケース３には、処理テープＴを切断するためのカッタユニット３１が内蔵されている。カッタユニット３１は、印刷テープ排出口１８に臨むように配設されており、モータ駆動（フルカッタモータ３２；図４参照）により、処理テープＴをハサミ形式で切断するフルカッタ３３と、フルカッタ３３に対してテープ送り方向下流側に配設され、モータ駆動（ハーフカッタモータ３４；図４参照）により、後述する処理テープＴの記録テープＴｒのみを切断する（ハーフカット）ストッパ付きハサミ形式のハーフカッタ３５と、を備えている。このハーフカットにより、処理テープＴには、後述する打刻アッセンブリ４０に挿入する挿入方向先端部に、捨て代部（図示省略）が形成される。
【００２６】
一方、装置ケース３の後半部上面の右部には、点字打刻部６４が配設されている。点字打刻部６４には、点字打刻部６４の主体を為す打刻アッセンブリ４０を前後に挟んで、テープ片Ｔａの印刷面を上にして前方から手差し挿入する打刻テープ挿入部（シート挿入部）１１、および点字打刻されたテープ片Ｔａが後方に排出される打刻テープ排出部１２が形成されている。打刻テープ挿入部１１には、その幅を調整可能な手差しガイド１３が設けられている。なお、図１における符号１５は、打刻アッセンブリ４０を覆う打刻部カバーである。
【００２７】
装置ケース３の右側部には、電源供給のための電源供給口１６と、図外のパーソナルコンピュータ等の外部装置と接続するための接続口１７（インタフェース）が形成される。これにより、接続口１７には、外部装置を接続することができ、この外部装置によって生成された文字情報等に基づいて、墨字印刷や点字打刻を行うことができるようになっている。また、両図では省略したが、装置ケース３の内部には、装置本体２を統括制御する制御部６０（図４参照）を構成する回路基板が搭載されている。
【００２８】
カートリッジ装着部６には、発熱素子を有しヘッドカバー２０に覆われた印刷ヘッド２１と、後述するテープリール２６の位置決めをする位置決め突起２２と、テープカートリッジＣの処理テープＴおよびインクリボンＲを送り、印刷ヘッド２１に対峙するプラテン駆動軸（図示省略）、およびインクリボンＲを巻き取る巻取り駆動軸（図示省略）とが、突設され、またカートリッジ装着部６の隅部には、複数のマイクロスイッチで構成されたテープ識別センサ２３（図４参照）が設けられている。また、カートリッジ装着部６の底板の内側には、プラテン駆動軸および巻取り駆動軸を駆動する印刷送りモータ２４（図４参照）や減速ギア列等（図示省略）が内蔵されている。
【００２９】
テープカートリッジＣは、カートリッジケース２５の内部に、処理テープＴを巻回したテープリール２６と、右下部にインクリボンＲを巻回したリボン繰出しリール２７およびリボン巻取りリール３０とを収容して構成されている。また、テープリール２６の左下部には印刷ヘッド２１を覆うヘッドカバー２０に差し込むための貫通開口２８が形成されている。さらに、処理テープＴとインクリボンＲとが重なる部分に対応し、上記プラテン駆動軸に嵌合して回転駆動するプラテンローラ２９が配置されている。
【００３０】
テープカートリッジＣをカートリッジ装着部６に装着すると、ヘッドカバー２０に貫通開口２８が、位置決め突起２２にテープリール２６が、巻取り駆動軸にリボン巻取りリール３０が、プラテン駆動軸にプラテンローラ２９が、それぞれ差し込まれ、この状態で開閉蓋７を閉蓋すると、これに連動して、印刷ヘッド２１が処理テープＴおよびインクリボンＲを挟み込んでプラテンローラ２９に当接し、印刷待機状態となる。そして、キーボード５等から入力された文字情報等に対応して制御部６０で作成された墨字データに基づき、プラテン駆動軸および巻取り駆動軸が周期回転して、処理テープＴおよびインクリボンＲを送りながら、印刷ヘッド２１により墨字印刷が行われる。これと共に、リボン繰出しリール２７から繰り出されたインクリボンＲは、貫通開口２８の開口壁を周回してリボン巻取りリール３０に巻き取られる。墨字印刷後の処理テープＴは、ハーフカッタ３５により捨て代部（図示省略）が形成されると共に、印刷済み部分がフルカッタ３３によりカットされ、カットされたテープ片Ｔａが印刷テープ排出口１８から外部に排出される。
【００３１】
処理テープＴは、裏面に粘着剤層が塗着されたＰＥＴ（ポリエチレンテレフタレート）製の記録テープＴｒと、この粘着剤層により記録テープＴｒに貼付されたＰＥＴ製の剥離テープＴｐとから構成されている。そして、処理テープＴは、記録テープＴｒを外側にし、かつ剥離テープＴｐを内側にしてロール状に巻回されてカートリッジケース２５内に収容されている。処理テープＴには、テープ幅が異なる複数種のものが用意されている。カートリッジケースＣの裏面には、小さな複数の被検出孔（図示省略）が形成され、上記のテープ識別センサ２３によってこの複数の被検出孔が識別され、処理テープＴの種別を識別できるようになっている。
【００３２】
図３（ａ）を参照すると、打刻アッセンブリ４０は、打刻テープ挿入部１１と打刻テープ排出部１２とを直線状に結ぶテープ走行路３６に臨んでおり、点字打刻を行うと共にテープ走行路３６の幅方向におけるカートリッジ装着部６側半部に寄せて配設した打刻ユニット４１（点字打刻手段）と、打刻テープ挿入部１１から手差し挿入されたテープ片Ｔａを、打刻テープ排出部１２に向かって送るテープ送りユニット４２とを備えている。
【００３３】
テープ送りユニット４２は、テープ片Ｔａを回転送りする送りローラ４４と、送りローラ４４を回動自在に軸支するローラ軸支部４５と、送りローラ４４を回転させる正逆回転可能な打刻送りモータ４３（図４参照）と、打刻送りモータ４３の動力を送りローラ４４に伝える動力伝達機構（図示省略）と、送られてくるテープ片Ｔａの先端を検出する先端検出機構４６とを備えている。打刻送りモータ４３が駆動すると、これに伴って動力伝達機構を介して送りローラ４４が回転しテープ片Ｔａが送られると共に、送られてゆくテープ片Ｔａの先端を先端検出機構４６が検出し、これをトリガとして、打刻ユニット４１により点字の打刻が開始される。
【００３４】
また、図３（ｂ）を参照すると、打刻ユニット４１は、送りローラ４４に対しテープ送り方向の上流側に配設され、挿入したテープ片Ｔａの下側に配設した打刻部４７と、打刻部４７に対向する位置に設けられた打刻受け部５１とで構成されている。打刻部４７は、点字（６点点字）を構成する６個の打刻凸部のうち縦列３個の打刻凸部に対応して配列された３個の打刻ピン４８と、３個の打刻ピン４８の打刻動作を進退自在に案内する打刻ガイドブロック４９と、駆動源となる３個のソレノイド５０と、を有している。打刻受け部５１は、３個の打刻ピン４８に対応する３個の受け溝５２が形成される。テープ送りユニット４２により、テープ片Ｔａを送りながら、３個のソレノイド５０を駆動源として３本の打刻ピン４８を受け溝５２に向かって選択的に跳ね上げて打刻動作をさせ、テープ片Ｔａにいわゆる６点点字の打刻凸部を形成する。
【００３５】
次に、図４を参照し、ラベル作成装置１の制御系の構成について説明する。ラベル作成装置１は、キーボード５およびディスプレイ９を有し、ユーザによる文字情報の入力や各種情報の表示等のユーザインタフェースをつかさどる操作部６１と、テープカートリッジＣ、印刷ヘッド２１および印刷送りモータ２４を有し、処理テープＴおよびインクリボンＲを送りながら処理テープＴ上に入力された文字情報に基づく墨字データを印刷する墨字印刷部６２と、フルカッタ３３、ハーフカッタ３５およびこれらを駆動するフルカッタモータ３２、ハーフカッタモータ３４を有し、印刷済みの処理テープＴにフルカット、ハーフカットを行う切断部６３と、を備えている。
【００３６】
さらにラベル作成装置１は、ソレノイド５０、打刻ピン４８および打刻送りモータ４３を有し、テープ片Ｔａを搬送しながらテープ片Ｔａに文字情報に基づく点字データを点字打刻する点字打刻部６４と、テープ識別センサ２３や先端検出機構４６等の各種センサを有し、各種検出を行う検出部６５と、ディスプレイドライバ６６、ヘッドドライバ６７、印刷送りモータドライバ６８、カッタモータドライバ６９、打刻ドライバ７０および打刻送りモータドライバ７１を有し、各部を駆動する駆動部７２と、各部と接続され、ラベル作成装置１全体を制御する制御部６０と、により構成されている。
【００３７】
制御部６０は、ＣＰＵ７３、ＲＯＭ７４、ＲＡＭ７５および入力制御装置７６（ＩＯＣ：Input Output Controller）を備え、互いに内部バス７７により接続されている。そして、ＣＰＵ７３はＲＯＭ７４内の制御プログラムにしたがって、ＩＯＣ７６を介してラベル作成装置１内の各部から各種信号・データを入力する。また、入力した各種信号・データに基づいて、ＲＡＭ７５内の各種データを処理し、ＩＯＣ７６を介してラベル作成装置１内の各部に各種信号データを出力し、これにより墨字印刷処理や点字打刻処理の制御等を行う。
【００３８】
この制御により、処理テープＴに対し様々な処理をすることが可能となる。例えば、処理テープＴに墨字印刷をし、切断してテープ片Ｔａを得、点字を打刻して、墨字印刷および点字打刻の両方がなされているテープ片Ｔａを得ることはもちろんのこと、点字打刻をせず、墨字印刷のみを行って、切断し、テープ片Ｔａを得ることもできる。また、墨字印刷をせず、処理テープＴを切断してテープ片Ｔａを得、点字打刻のみ行うこともできる。なお、処理後のテープ片Ｔａは、墨字・点字併記ラベル、墨字ラベル、点字ラベルとして、それぞれ貼着対象物に貼着される。
【００３９】
続いて、本実施形態のラベル作成装置１に係る墨字印刷および点字打刻を行うための文字情報（入力情報）の入力手順について説明を行う。図５（ａ）は、墨字印刷用の文字情報である墨字情報を入力する手順を示すものである。ユーザは、まず通常のテキスト編集画面Ｄ１０において、キーボード５を用いた所定のキー操作によって例えば「電話（記号）」を入力する。続いて、段落を追加し「内線」（１行目）および「営業部」（２行目）を入力する。さらに、段落を追加し「営業１課」（１行目）および「営業２課」（２行目）を入力する。その後、ユーザによって印刷の実行が指示されると、ラベル作成装置１は墨字印刷処理を開始し、同図に示すラベルＬ１を作成する。このラベルＬ１には、上記した入力操作に基づいて段落１から段落３までの３つの段落から成る墨字情報が印刷されている。
【００４０】
一方、図５（ｂ）は、点字打刻用の文字情報（入力情報）である点字情報を入力する手順を示している。ユーザは、通常のテキスト編集画面Ｄ１０から所定のキー操作によって点字入力選択画面Ｄ２０を表示させる。点字入力選択画面Ｄ２０は、点字情報を通常の文字入力で入力するか（文字入力）、若しくは打刻点を直接指定して入力するか（直接入力）、を選択して設定する画面である。点字入力選択画面Ｄ２０において点字情報の入力方法を設定すると（図では「文字入力」と設定）、点字情報編集画面Ｄ３０が表示される。ユーザはこの点字情報編集画面Ｄ３０において、点字打刻用の文字情報を入力する（図では「えいぎょう１＿２」と入力（＿はスペースを表す））。
【００４１】
ユーザが点字情報の入力を所定のキー操作によって確定すると、点字情報編集画面Ｄ３０には、確定した点字情報のひらがな表記に加えて、カナ表記および点字表記がそれぞれプレビュー表示される。ユーザがこのプレビュー表示を視認した後、キーボード５のうち例えば確定キーの押下によって、入力された点字打刻用の文字情報が表示されるテキスト編集画面Ｄ１０へと画面遷移する。なお、同図の符号Ｍは、表示している文字情報が点字打刻用の文字情報であることを指標する点字マークであり、またこのときカーソルＫが文字情報の末尾に表示される。その後、ユーザによって点字打刻の実行が指示されると、ラベル作成装置１は点字打刻処理を開始し、同図に示すラベルＬ２を作成する。このラベルＬ２には、上記の入力操作に基づいて点字情報「エイギョー＿１＿２」が打刻されている。また、同図（ａ）に示す手順で入力した墨字情報と、同図（ｂ）に示す手順で入力した点字情報を同一のテープＴに印刷および打刻して墨字／点字併記ラベルＬ３（同図下部参照）を作成することももちろん可能である。なお、詳細な説明は省略するが、ユーザは適宜カーソルＫを用いて入力位置（編集位置）を指定しながら墨字情報および点字情報の入力（編集）を行い、また入力情報やカーソルＫの位置情報はＲＡＭ７５に一時的に保存される。
【００４２】
ここで、墨字情報または点字情報として入力した情報を、ユーザが簡易な操作で消去するために、ラベル作成装置１が表示する消去メニューについて説明する。この消去メニューは複数の消去選択肢から構成され、本実施形態では、入力情報を一括消去するとともに、文字サイズや余白、並びにレイアウトに関する設定を含む書式設定を初期状態に戻す「全文消去」、墨字情報を段落単位で消去する「段落消去」、点字情報を一括消去する「点字消去」の３つの消去選択肢から成る消去メニューをＲＯＭ７４（図４参照）に記憶している。なお、この消去メニューは、テキスト編集画面Ｄ１０（図５参照）が表示されているときに、ユーザによる所定のキー操作をトリガとして表示されるものである。
【００４３】
図６は、ラベル作成装置１による消去メニューを設定する流れを示すフローチャートである。ユーザによって消去メニューの表示が指示されると、ラベル作成装置１はまずＲＡＭ７５を参照し、入力情報の判別を行う（Ｓ０１）。入力情報が墨字情報のみである場合（Ｓ０１：墨字情報のみ）、消去対象となる情報は墨字情報のみであることから、表示する消去選択肢を「全文消去」および「段落消去」に決定し、消去メニューとしてディスプレイ９に表示する（Ｓ０２）。また、入力情報が点字情報のみである場合（Ｓ０１：点字情報のみ）、消去対象となる情報は点字情報のみであるため表示する消去選択肢を「全文消去」および「点字消去」に決定し、消去メニューとしてディスプレイ９に表示する（Ｓ０３）。また、入力情報として墨字情報および点字情報の両方が存在する場合（Ｓ０１：墨字情報＋点字情報）、さらにテキスト編集画面Ｄ１０におけるカーソルＫの位置（以下カーソル位置と記載）を判別する（Ｓ０４）。
【００４４】
カーソル位置が点字情報に位置する場合（Ｓ０４：点字）、表示する消去選択肢を「全文消去」および「点字消去」に決定し、消去メニューとしてディスプレイ９に表示する（Ｓ０５）。一方、カーソル位置が墨字情報に位置する場合（Ｓ０４：墨字）、表示する消去選択肢を「全文消去」、「段落消去」および「点字消去」に決定し、消去メニューとしてディスプレイ９に表示する（Ｓ０６）。また、入力情報として何れの情報も入力されていないとき（Ｓ０１：なし）、すなわちテキスト編集画面Ｄ１０において未入力の状態であるときには（図７（ｂ）参照）、消去メニューを表示することなく処理を終了する。
【００４５】
なお、「カーソル位置が墨字情報に位置する」とは、図７（ａ）のテキスト編集画面Ｄ１０に示すように、例えば改行直後等にカーソルＫが先頭に位置するような場合も含まれる。但し、同図（ｂ）のテキスト編集画面Ｄ１０に示すように、墨字（空白を含む）として何れの入力もないときには、たとえカーソルＫが先頭に位置していてもラベル作成装置１は「墨字情報なし」と判別する。なお、入力情報の判別の際（Ｓ０１に該当）、墨字情報は必ず存在すると判別し入力情報が「点字情報のみ」であるとして判別する処理（Ｓ０３に該当）を省略する構成でもよい。また、墨字情報および点字情報の入力がある場合、カーソル位置の判別を行うことなく（Ｓ０４に該当）「全文消去」「段落消去」「点字消去」の全ての消去選択肢を表示する構成でもよい。
【００４６】
また、「段落消去」とは、入力した墨字情報のうちカーソルＫが位置する段落の墨字情報を削除することを意味している。また、入力情報が墨字情報のみの場合（Ｓ０２に該当）、若しくは墨字情報および点字情報の入力があり、カーソル位置が墨字情報である場合（Ｓ０６に該当）、墨字情報が複数段落入力されているか否かをさらに判別し、複数段落に亘って墨字情報が入力されている場合のみ「段落消去」を表示する構成でもよい。さらに、墨字情報のみの入力がある場合に（Ｓ０２に該当）消去メニューとして表示する「全文消去」とは、入力されている墨字情報全てを一括消去するとともに、墨字情報に関する書式設定を初期状態に戻すことを意味し、点字情報のみの入力がある場合に（Ｓ０３に該当）消去メニューとして表示する「全文消去」とは、入力されている点字情報全てを一括消去するとともに、点字情報に関する書式設定を初期状態に戻すことを意味する。同様に、墨字情報および点字情報の両方の入力がある場合に（Ｓ０５またはＳ０６に該当）、消去メニューとして表示する「全文消去」とは、入力されている墨字情報および点字情報の全てを一括消去するとともに、墨字情報および点字情報に関する書式設定を初期状態に戻すことを意味する。
【００４７】
さらに図８および図９を参照して具体的に説明する。図８は、墨字情報のみが入力されている場合に表示される消去メニュー（同図（ａ）参照）、および点字情報のみが入力されている場合に表示される消去メニュー（同図（ｂ）参照）を示すものである。同図（ａ）に示すように、例えば墨字情報として「会議室」（段落１；１行目）「第１」（段落２；１行目）、「第２」（段落２；２行目）が入力された場合、テキスト編集画面Ｄ１０からユーザが消去メニューの表示を指示すると、ラベル作成装置１は複数の消去選択肢のうち「全文消去」および「段落消去」を、表示する消去選択肢として決定し消去メニュー画面Ｄ４０を表示する。
【００４８】
消去メニュー画面Ｄ４０では、初期状態で「全文消去」が選択状態にあり、ユーザによる所定のキー操作によって「段落消去」を選択することができる。ユーザが「全文消去」を選択した場合、入力されている墨字情報全てが消去されるとともに、墨字情報に関する書式設定が初期状態に戻される。一方、ユーザが「段落消去」を選択した場合、カーソルＫが位置する段落の情報が消去される（図では「段落２」に属する「第２」文字列にカーソルＫが位置しているので、「段落２」に属する「第１」および「第２」が消去される）。また、同図（ｂ）に示すように、例えば点字情報として「カイギシツ」が入力された場合、テキスト編集画面Ｄ１０から、ユーザが消去メニューの表示を指示すると、ラベル作成装置１は、複数の消去選択肢のうち「全文消去」および「点字消去」を表示する消去選択肢として決定し、消去メニュー画面Ｄ４０を表示する。消去メニュー画面Ｄ４０では、初期状態で「全文消去」が選択状態にあり、ユーザによる所定のキー操作によって「点字消去」を選択することができる。ユーザが「全文消去」を選択した場合、入力された点字情報全てが消去されるとともに点字情報に関する書式設定が初期状態に戻され、「点字消去」を選択した場合、入力された点字情報全てが消去される。
【００４９】
図９は、墨字情報および点字情報の両方が入力されている場合に表示される消去メニューを示しており、同図（ａ）は、カーソル位置が点字情報の文字列に位置している例であり、同図（ｂ）は、カーソル位置が墨字情報の文字列に位置している例を示す。同図（ａ）に示すように、例えば墨字情報として「会議室」（段落１；１行目）「第１」（段落２；１行目）、「第２」（段落２；２行目）が入力され、点字情報として「カイギシツ」が入力された場合、テキスト編集画面Ｄ１０から、ユーザが消去メニューの表示を指示すると、ラベル作成装置１は、カーソル位置が点字情報の文字列に位置しているので、「全文消去」および「点字消去」を消去メニューとして設定し、消去メニュー画面Ｄ４０を表示する。
【００５０】
消去メニュー画面Ｄ４０では、初期状態で「点字消去」が選択状態にあり、ユーザによるキー操作によって「全文消去」を選択することができる。このとき、ユーザが「点字消去」を選択した場合、入力された点字情報全てが消去され、一方ユーザが「全文消去」を選択した場合、入力された墨字情報および点字情報全てが一括消去されるとともに、墨字情報および点字情報に関する書式設定が初期状態に戻される。また、同図（ｂ）に示すように、入力された墨字情報および点字情報が同図（ａ）に示す例と同様であり、カーソル位置が墨字情報の文字列に位置する場合では、テキスト編集画面Ｄ１０においてユーザが消去メニューの表示を指示すると、ラベル作成装置１は、カーソル位置が墨字情報の文字列に位置しているので、「全文消去」「段落消去」および「点字消去」を表示する消去選択肢として決定し、消去メニュー画面Ｄ４０を表示する。
【００５１】
消去メニュー画面Ｄ４０では、初期状態で「段落消去」が選択状態にあり、ユーザによるキー操作によって「全文消去」または「点字消去」を選択することができる。このとき、ユーザが「段落消去」を選択した場合、墨字情報のうちカーソルＫが位置する「段落１」に属する「会議室」が消去される。なお「全文消去」および「点字消去」が選択された場合については、同図（ａ）に示した例と同様であり説明は省略する。なお、消去メニュー画面Ｄ４０では、選択状態にある消去選択肢の概要を画面右部に表示する。従ってユーザは、「全文消去」や「段落消去」等を選択したときに、具体的にどの情報が消去されるのかを容易に把握することができる。
【００５２】
以上説明したように本実施形態に係るラベル作成装置１は、入力された情報に基づいて表示する消去選択肢を決定し消去メニューを表示するので、ユーザが選択不可能な消去選択肢が表示されず、ユーザが戸惑う虞がない。また、さらにカーソル位置に基づいて消去選択肢を決定し消去メニューを表示することから、ユーザの操作性をさらに向上させることができる。さらに、点字情報の入力の際、墨字情報同様に「段落」という概念を設け、点字情報の消去においても段落毎に指定可能に構成してもよい。
【００５３】
さらに、上記の例に示した、ラベル作成装置１の各部（各機能）をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００５４】
また、上述した実施例によらず、ラベル作成装置１の装置構成や処理工程等について、本発明の要旨を逸脱しない範囲で、適宜変更も可能である。
【図面の簡単な説明】
【００５５】
【図１】ラベル作成装置の閉蓋状態の外観斜視図である。
【図２】ラベル作成装置の開蓋状態の外観斜視図である。
【図３】打刻ユニットの平面図および断面図である。
【図４】ラベル作成装置の制御ブロック図である。
【図５】墨字情報および点字情報の入力手順を画面表示に従って説明するための図である。
【図６】消去メニューの表示手順を示すフローチャートである。
【図７】テキスト編集画面における様々な入力状態を例示する図である。
【図８】入力された情報に基づいて表示する消去メニューを例示する図である。
【図９】カーソル位置に基づいて表示する消去メニューを例示する図である。
【符号の説明】
【００５６】
１    ラベル作成装置                ５    キーボード
９    ディスプレイ                ２１    印刷ヘッド
４１    打刻ユニット                ７３    ＣＰＵ
７４    ＲＯＭ          Ｔ    処理テープ          Ｋ    カーソル
【図１】
2006289730.tif 000003
【図２】
2006289730.tif 000004
【図３】
2006289730.tif 000005
【図４】
2006289730.tif 000006
【図５】
2006289730.tif 000007
【図６】
2006289730.tif 000008
【図７】
2006289730.tif 000009
【図８】
2006289730.tif 000010
【図９】
2006289730.tif 000011